(57)【要約】【課題】対物レンズの傾き制御を行える薄型の対物レンズ駆動装置、対物レンズ駆動装置の製造方法、光ピックアップ装置、及び光ディスク装置を提供することを目的とする。【解決手段】対物レンズ１を保持するレンズホルダ２と、レンズホルダ２の一端をフォーカス方向に移動させる第１フォーカスコイル６ａと、レンズホルダ２の他端をフォーカス方向に移動させる第２フォーカスコイル６ｂと、レンズホルダ２をトラッキング方向に移動させるトラッキングコイル７と、第１フォーカスコイル６ａに電流を流す一組の第１弾性部材と第２フォーカスコイル６ｂに電流を流す一組の第２弾性部材とトラッキングコイルに電流を流す一組の第３弾性部材とを備えた弾性部材３と、を具備し、レンズホルダ２は装置本体に対して弾性部材３によって弾性支持され、且つ、弾性部材３はレンズホルダ２の両端に複数列で配置された対物レンズ駆動装置１１とした。【選択図】図１
2007226933.tif 000002
【特許請求の範囲】
【請求項１】
光ディスクにレーザ光を出射する対物レンズを保持するレンズホルダと、前記レンズホルダの一端を前記光ディスクのフォーカス方向に移動させる第１フォーカスコイルと、前記レンズホルダの他端を前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダは装置本体に対して前記弾性部材によって弾性支持され、且つ、前記弾性部材は前記レンズホルダの両端に前記光ディスクのトラッキング方向に複数列で配置されたことを特徴とする対物レンズ駆動装置。
【請求項２】
光ディスクにレーザ光を出射する対物レンズを保持するレンズホルダと、前記レンズホルダの両端を前記光ディスクのフォーカス方向に移動させる第１フォーカスコイルと、前記レンズホルダの一端を前記光ディスクのフォーカス方向に移動させ他端を反対向きの前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダは装置本体に対して前記弾性部材によって弾性支持され、且つ、前記弾性部材は前記レンズホルダの両端に前記光ディスクのトラッキング方向に複数列で配置されたことを特徴とする対物レンズ駆動装置。
【請求項３】
前記弾性部材は前記レンズホルダの両端に前記光ディスクのトラッキング方向に２列、前記光ディスクのフォーカス方向に２段で配置されたことを特徴とする請求項１または２記載の対物レンズ駆動装置。
【請求項４】
前記弾性部材は、前記第１フォーカスコイル、前記第２フォーカスコイル及び前記トラッキングコイルのいずれにも接続しない第４弾性部材を含むことを特徴とする請求項３記載の対物レンズ駆動装置。
【請求項５】
前記レンズホルダの両端の前記光ディスクから近い側の段に配置された前記弾性部材は略同一平面上にあることを特徴とする請求項３記載の対物レンズ駆動装置。
【請求項６】
前記レンズホルダの両端の前記光ディスクから遠い側の段に配置された前記弾性部材は略同一平面上にあることを特徴とする請求項３記載の対物レンズ駆動装置。
【請求項７】
前記弾性部材は前記装置本体側において分岐し、分岐した一方が前記装置本体に固定されることを特徴とする請求項１または２記載の対物レンズ駆動装置。
【請求項８】
少なくとも前記複数列の最も内側の列に配置された前記弾性部材は前記分岐した箇所と前記装置本体との間に屈曲部を備えていることを特徴とする請求項７記載の対物レンズ駆動装置。
【請求項９】
前記分岐した箇所から前記装置本体に近い前記弾性部材はダンピングゲルに覆われていることを特徴とする請求項７記載の対物レンズ駆動装置。
【請求項１０】
前記弾性部材は前記レンズホルダに埋設されたことを特徴とする請求項１または２記載の対物レンズ駆動装置。
【請求項１１】
前記第１フォーカスコイルと前記一組の第１弾性部材との接続、前記第２フォーカスコイルと前記一組の第２弾性部材との接続及び前記トラッキングコイルと前記一組の弾性部材との接続の少なくとも一部は前記レンズホルダの前記装置本体と反対側であることを特徴とする請求項１０記載の対物レンズ駆動装置。
【請求項１２】
前記装置本体は前記弾性部材を埋設する固定部材を備えたことを特徴とする請求項１または２記載の対物レンズ駆動装置。
【請求項１３】
前記固定部材の前記レンズホルダと反対側にフレキシブルプリント基板のランドが配置され、前記第１弾性部材、前記第２弾性部材及び前記第３弾性部材は前記ランドで前記フレキシブルプリント基板と接続されることを特徴とする請求項１２記載の対物レンズ駆動装置。
【請求項１４】
前記装置本体は前記弾性部材を埋設した固定部材を固定する平坦部と、前記平坦部の両端から略同一の方向に伸びた腕部と、前記両腕部の間の平坦部を略直角に折り曲げた第１立設ヨーク部と、前記両腕部を斜め方向の折り目で内側に前記第１立設ヨーク部と同一側の略直角に折り曲げ前記両腕部の先端部を前記第１立設ヨーク部に対向するように折り曲げた第２立設ヨーク部と、を有するヨークを備えることを特徴とする請求項１または２記載の対物レンズ駆動装置。
【請求項１５】
前記弾性部材が前記レンズホルダの両端に２段で配置される間隙は１ｍｍ以下であることを特徴とする請求項３記載の対物レンズ駆動装置。
【請求項１６】
前記弾性部材の幅は前記レンズホルダに近い部分と前記装置本体に近い部分と中央部分とで異なることを特徴とする請求項１または２記載の対物レンズ駆動装置。
【請求項１７】
前記弾性部材の幅は前記中央部分が広く、前記レンズホルダに近い部分と前記装置本体に近い部分が狭いことを特徴とする請求項１６記載の対物レンズ駆動装置。
【請求項１８】
枠と一体に形成され光ディスクから近い側に配置される４本の弾性部材を備えた第１枠体及び枠と一体に形成され前記光ディスクから遠い側に配置される４本の弾性部材を備えた第２枠体を製造する第１ステップと、前記第１枠体と前記第２枠体とを所定の間隔で離して、レンズホルダ及び固定部材を前記第１枠体及び前記第２枠体と一体で成型する第２ステップと、前記レンズホルダに第１フォーカスコイル、第２フォーカスコイル及びトラッキングコイルを固定し前記第１フォーカスコイルは前記８本の弾性部材のうちの一組の第１弾性部材と接続し前記第２フォーカスコイルは前記８本の弾性部材のうちの一組の第２弾性部材と接続し前記トラッキングコイルは前記８本の弾性部材のうちの一組の第３弾性部材と接続する第３ステップと、対物レンズを前記レンズホルダの所定の位置に配置する第４ステップと、前記枠と前記弾性部材を切り離す第５ステップと、を備えることを特徴とする対物レンズ駆動装置の製造方法。
【請求項１９】
枠と一体に形成され光ディスクから近い側のうち内側の列に配置される２本の弾性部材を備える第１枠体及び枠と一体に形成され前記光ディスクから近い側のうち外側の列に配置される２本の弾性部材を備える第２枠体ならびに枠と一体に形成され前記光ディスクから遠い側のうち内側の列に配置される２本の弾性部材を備える第３枠体及び枠と一体に形成され前記光ディスクから遠い側のうち外側の列に配置される２本の弾性部材を備える第４枠体を製造する第１ステップと、近接して重ね合わせた前記第１枠体と前記第２枠体及び近接して重ね合わせた前記第３枠体と前記第４枠体とを所定の間隔で離して、レンズホルダ及び固定部材を前記第１枠体から前記第４枠体と一体で成型する第２ステップと、前記レンズホルダに第１フォーカスコイル、第２フォーカスコイル及びトラッキングコイルを固定し前記第１フォーカスコイルは前記８本の弾性部材のうちの一組の第１弾性部材と接続し前記第２フォーカスコイルは前記８本の弾性部材のうちの一組の第２弾性部材と接続し前記トラッキングコイルは前記８本の弾性部材のうちの一組の第３弾性部材と接続する第３ステップと、対物レンズを前記レンズホルダの所定の位置に配置する第４ステップと、前記枠と前記弾性部材を切り離す第５ステップと、を備えることを特徴とする対物レンズ駆動装置の製造方法。
【請求項２０】
光ディスクにレーザ光を出射する対物レンズを保持するレンズホルダと、前記レンズホルダの一端を前記光ディスクのフォーカス方向に移動させる第１フォーカスコイルと、前記レンズホルダの他端を前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダが装置本体に対して前記弾性部材によって弾性支持され、且つ、前記弾性部材が前記レンズホルダの両端に前記光ディスクのトラッキング方向に複数列で配置された対物レンズ駆動装置、を備えることを特徴とする光ピックアップ装置。
【請求項２１】
光ディスクにレーザ光を出射する対物レンズを保持するレンズホルダと、前記レンズホルダの両端を前記光ディスクのフォーカス方向に移動させる第１フォーカスコイルと、前記レンズホルダの一端を前記光ディスクのフォーカス方向に移動させ他端を反対向きの前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダが装置本体に対して前記弾性部材によって弾性支持され、且つ、前記弾性部材が前記レンズホルダの両端に前記光ディスクのトラッキング方向に複数列で配置された対物レンズ駆動装置、を備えることを特徴とする光ピックアップ装置。
【請求項２２】
光ディスクにレーザ光を出射する対物レンズを保持するレンズホルダと、前記レンズホルダの一端を前記光ディスクのフォーカス方向に移動させる第１フォーカスコイルと、前記レンズホルダの他端を前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダが装置本体に対して前記弾性部材によって弾性支持され、且つ、前記弾性部材が前記レンズホルダの両端に前記光ディスクのトラッキング方向に複数列で配置された対物レンズ駆動装置、を備えることを特徴とする光ディスク装置。
【請求項２３】
光ディスクにレーザ光を出射する対物レンズを保持するレンズホルダと、前記レンズホルダの両端を前記光ディスクのフォーカス方向に移動させる第１フォーカスコイルと、前記レンズホルダの一端を前記光ディスクのフォーカス方向に移動させ他端を反対向きの前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダが装置本体に対して前記弾性部材によって弾性支持され、且つ、前記弾性部材が前記レンズホルダの両端に前記光ディスクのトラッキング方向に複数列で配置された対物レンズ駆動装置、を備えることを特徴とする光ディスク装置。
【請求項２４】
前記複数列の最も内側の列に配置された前記弾性部材と最も外側の列に配置された前記弾性部材との前記レンズホルダにおける間隔と前記装置本体における間隔との比は、前記レンズホルダの両側に配置された前記弾性部材の前記レンズホルダにおける間隔と前記装置本体における間隔との比にほぼ等しいことを特徴とする請求項１または２記載の対物レンズ駆動装置。
【請求項２５】
前記レンズホルダの両側に配置された前記弾性部材の前記装置本体側における間隔は、前記レンズホルダ側における間隔以下であることを特徴とする請求項１または２記載の対物レンズ駆動装置。
【請求項２６】
前記複数列の最も内側の列に配置された前記弾性部材と最も外側の列に配置された前記弾性部材との前記装置本体における間隔は、前記レンズホルダにおける間隔以下であることを特徴とする請求項２５記載の対物レンズ駆動装置。
【請求項２７】
前記弾性部材は少なくとも１つの屈折点を有し、同じ段の隣り合う前記弾性部材は、前記レンズホルダから前記屈折点までの間及び前記屈折点から前記装置本体までの間においてほぼ平行であることを特徴とする請求項１または２記載の対物レンズ駆動装置。
【請求項２８】
前記弾性部材が複数の屈折点を有する場合、同じ段の隣り合う前記弾性部材は、各屈折点の間においてほぼ平行であることを特徴とする請求項２７記載の対物レンズ駆動装置。
【請求項２９】
前記装置本体に固定されるのは、最も内側の列に配置された前記弾性部材においては外側に分岐した方であり、最も外側の列に配置された前記弾性部材においては内側に分岐した方であることを特徴とする請求項７記載の対物レンズ駆動装置。
【発明の詳細な説明】
【技術分野】
【０００１】
本発明はパーソナルコンピュータ等の電子機器に好んで搭載される対物レンズ駆動装置、対物レンズ駆動装置の製造方法、光ピックアップ装置、及び光ディスク装置に関するものである。
【背景技術】
【０００２】
従来、光ディスク装置はＣＤ（Ｃｏｍｐａｃｔ  Ｄｉｓｃ）からＤＶＤ（Ｄｉｇｉｔａｌ  Ｖｅｒｓａｔｉｌｅ  Ｄｉｓｃ）へと進化し、さらに次世代ＤＶＤとして、ＢＤ（Ｂｌｕ−ｒａｙ  Ｄｉｓｃ）、ＨＤ  ＤＶＤ（Ｈｉｇｈ  Ｄｅｆｉｎｉｔｉｏｎ  ＤＶＤ）が開発されている。一方、光ディスク装置は単に光ディスクに記録されていた情報を再生するだけの機能に光ディスクに情報を記録する機能も付加されて進化してきた。光ディスク装置に搭載され、光ディスクに対し情報を記録再生する光ピックアップ装置もまた、上記進化に合わせて進化してきた。
【０００３】
図１５はＣＤとＤＶＤに対し記録再生ができる従来の光ピックアップ装置の対物レンズ駆動装置を示す図である。対物レンズ１０１は、レーザ光源（図示せず）から出射されたレーザ光を光ディスク（図示せず）の記録面で焦点が合うように集光させるレンズである。対物レンズ１０１はレンズホルダ１０２に固定される。レンズホルダ１０２はまた第１フォーカスコイル１０６ａ、第２フォーカスコイル１０６ｂ、及びトラッキングコイル１０７を固定している。レンズホルダ１０２は弾性部材１０３の一端部を固定しており、弾性部材１０３の他端部は固定部材１０４に固定される。６本の弾性部材１０３はレンズホルダ１０２の両端に光ディスクのトラッキング方向に１列で光ディスクのフォーカス方向に３段で配置される。レンズホルダ１０２の固定される最上段と最下段の弾性部材１０３の間隙は１．３２ｍｍ程度であり、中段と最上段、中段と最下段の弾性部材１０３との間隙はそれぞれ０．６２ｍｍ程度である。また、固定部材１０４はヨーク１０５に固定され、ヨーク１０５は光ピックアップ装置のキャリッジ（図示せず）に固定される。また、ヨーク１０５は磁石１０８を固定している。対物レンズ１０１を搭載したレンズホルダ１０２は弾性部材１０３によって弾性的に支持され、光ディスクのフォーカス方向とトラッキング方向に移動することができる。
【０００４】
トラッキングコイル１０７は互いに電気的に接続され、一組の第３弾性部材１０３ｃのレンズホルダ１０２側の端部と接続される。また２つあるフォーカスコイル１０６はそれぞれ独立して第１フォーカスコイル１０６ａ及び第２フォーカスコイル１０６ｂとしてそれぞれ一組の第１弾性部材１０３ａ及び一組の第２弾性部材１０３ｂのレンズホルダ１０２側の端部と接続される。弾性部材１０３の固定部材１０４側の端部はフォーカスコイル１０６及びトラッキングコイル１０７に電流を流す導電線（図示せず）と接続される。このように６本の弾性部材１０３は第１フォーカスコイル１０６ａ、第２フォーカスコイル１０６ｂやトラッキングコイル１０７に電流を流す導電線の役割も果たす。そして、第１フォーカスコイル１０６ａ、第２フォーカスコイル１０６ｂ、トラッキングコイル１０７、磁石１０８は磁気回路を構成し、第１フォーカスコイル１０６ａ、第２フォーカスコイル１０６ｂ、トラッキングコイル１０７に電流が流れた時に電磁力で対物レンズ１０１を搭載したレンズホルダ１０２が光ディスクのフォーカス方向やトラッキング方向に移動することができるように配置されている。
【０００５】
ＤＶＤの記録の場合、光ディスクの特にトラッキング方向の対物レンズ１０１の傾きが特性に大きな影響を与える。そのため、ＤＶＤの記録に用いる光ピックアップ装置には対物レンズ１０１の傾き制御を行えるようにしてある。対物レンズ１０１の傾き制御を行うために、第１フォーカスコイル１０６ａ、第２フォーカスコイル１０６ｂに流す電流を独立に制御して、それぞれのフォーカスコイル１０６が発生する電磁力を制御する。
【０００６】
（特許文献１）では、さらに磁気回路を変更して対物レンズ駆動装置を薄くできるようにしている。
【特許文献１】特開２００３−２０３３７３号公報
【発明の開示】
【発明が解決しようとする課題】
【０００７】
光ディスク装置はその厚さを薄くする方向にも進化しており、それに搭載される光ピックアップ装置もまた薄型化が要求される。そのためには対物レンズ駆動装置も薄くすることが必要となる。ところが、さらに対物レンズ駆動装置を薄くしようとすると、最上段と最下段の弾性部材の間隙をさらに狭める必要が出てくる。ところが、レンズホルダの両端に３段ずつの弾性部材を厚さ方向に並べてこれ以上最上段と最下段の弾性部材の間隙を狭めて配置することは困難になってきた。すなわち、弾性部材とフォーカスコイルやトラッキングコイルとの接続に必要なスペース、弾性部材とフォーカスコイルやトラッキングコイルに電流を流すための導電線との接続に必要なスペースを確保できないという問題が発生してきた。また、各弾性部材間の間隔をさらに狭めなければいけないために、弾性部材、レンズホルダ、固定部材を一体で成型しようとする場合、各弾性部材間に挿入するスペーサの厚さが確保できないという問題も発生してきた。
【０００８】
本発明は、上記課題を解決するもので、対物レンズの光ディスクに対する傾き制御を行える薄型の対物レンズ駆動装置、対物レンズ駆動装置の製造方法、光ピックアップ装置、及び光ディスク装置を提供することを目的とする。
【課題を解決するための手段】
【０００９】
上記目的を達成するために本発明は、光ディスクにレーザ光を出射する対物レンズを保持するレンズホルダと、前記レンズホルダの一端を前記光ディスクのフォーカス方向に移動させる第１フォーカスコイルと、前記レンズホルダの他端を前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダは装置本体に対して前記弾性部材によって弾性支持され、且つ、前記弾性部材は前記レンズホルダの両端に前記光ディスクのトラッキング方向に複数列で配置されたことを特徴とする対物レンズ駆動装置とした。
【００１０】
光ディスクにレーザ光を出射する対物レンズを保持するレンズホルダと、前記レンズホルダの両端を前記光ディスクのフォーカス方向に移動させる第１フォーカスコイルと、前記レンズホルダの一端を前記光ディスクのフォーカス方向に移動させ他端を反対向きの前記光ディスクのフォーカス方向に移動させる第２フォーカスコイルと、前記レンズホルダを前記光ディスクのトラッキング方向に移動させるトラッキングコイルと、前記第１フォーカスコイルに電流を流す一組の第１弾性部材と前記第２フォーカスコイルに電流を流す一組の第２弾性部材と前記トラッキングコイルに電流を流す一組の第３弾性部材とを備えた弾性部材と、を具備し、前記レンズホルダは装置本体に対して前記弾性部材によって弾性支持され、且つ、前記弾性部材は前記レンズホルダの両端に前記光ディスクのトラッキング方向に複数列で配置されたことを特徴とする対物レンズ駆動装置としても良い。
【００１１】
レンズホルダの両端に弾性部材を光ディスクのトラッキング方向に複数列で配置するので、弾性部材を光ディスクのフォーカス方向に重ねる段数を減らすことができる。そのため、対物レンズ駆動装置の厚さを薄くすることができる。さらに、第１フォーカスコイルと一組の第１弾性部材、第２フォーカスコイルと一組の第２弾性部材、トラッキングコイルと一組の第３弾性部材との接続に必要なスペースが確保できる。また一組の第１弾性部材、一組の第２弾性部材、一組の第３弾性部材と第１フォーカスコイル、第２フォーカスコイル、トラッキングコイルに電流を流すための導電線との接続に必要なスペースの確保ができる。さらに弾性部材、レンズホルダ、固定部材を一体で成型しようとする場合、各弾性部材間に挿入するスペーサの厚さも確保できる。
【発明の効果】
【００１２】
本発明の対物レンズ駆動装置は、必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。
【発明を実施するための最良の形態】
【００１３】
本発明の請求項１の発明は、光ディスクにレーザ光を出射する対物レンズを保持するレンズホルダと、レンズホルダの一端を光ディスクのフォーカス方向に移動させる第１フォーカスコイルと、レンズホルダの他端を光ディスクのフォーカス方向に移動させる第２フォーカスコイルと、レンズホルダを光ディスクのトラッキング方向に移動させるトラッキングコイルと、第１フォーカスコイルに電流を流す一組の第１弾性部材と第２フォーカスコイルに電流を流す一組の第２弾性部材とトラッキングコイルに電流を流す一組の第３弾性部材とを備えた弾性部材と、を具備し、レンズホルダは装置本体に対して弾性部材によって弾性支持され、且つ、弾性部材はレンズホルダの両端に光ディスクのトラッキング方向に複数列で配置された対物レンズ駆動装置である。
【００１４】
必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。
【００１５】
請求項２の発明は、光ディスクにレーザ光を出射する対物レンズを保持するレンズホルダと、レンズホルダの両端を光ディスクのフォーカス方向に移動させる第１フォーカスコイルと、レンズホルダの一端を光ディスクのフォーカス方向に移動させ他端を反対向きの光ディスクのフォーカス方向に移動させる第２フォーカスコイルと、レンズホルダを光ディスクのトラッキング方向に移動させるトラッキングコイルと、第１フォーカスコイルに電流を流す一組の第１弾性部材と第２フォーカスコイルに電流を流す一組の第２弾性部材とトラッキングコイルに電流を流す一組の第３弾性部材とを備えた弾性部材と、を具備し、レンズホルダは装置本体に対して弾性部材によって弾性支持され、且つ、弾性部材はレンズホルダの両端に光ディスクのトラッキング方向に複数列で配置された対物レンズ駆動装置である。
【００１６】
必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。
【００１７】
請求項３の発明は、請求項１の発明または請求項２の発明において、弾性部材はレンズホルダの両端に光ディスクのトラッキング方向に２列、光ディスクのフォーカス方向に２段で配置された対物レンズ駆動装置である。
【００１８】
レンズホルダの両端に弾性部材を幅方向には２列に厚さ方向には２段で配置するので、弾性部材が合計８本となる。そのため、第１フォーカスコイル、第２フォーカスコイル、及びトラッキングコイルに電流を流すのに十分な弾性部材を確保することができ、対物レンズの光ディスクに対する傾き制御が行える。しかも、弾性部材が厚さ方向には２段で配置されるので、薄型化ができる。
【００１９】
請求項４の発明は、請求項３の発明において、弾性部材は、第１フォーカスコイル、第２フォーカスコイル及びトラッキングコイルのいずれにも接続しない第４弾性部材を含む対物レンズ駆動装置である。
【００２０】
第４弾性部材を備えることで、弾性部材を上下左右対称に配置することができ、バランス良くレンズホルダを弾性支持することができる。
【００２１】
請求項５の発明は、請求項３の発明において、レンズホルダの両端の光ディスクから近い側の段に配置された弾性部材は略同一平面上にある対物レンズ駆動装置である。
【００２２】
平板を加工して１つの枠体の中に４本の弾性部材を形成し、レンズホルダ、装置本体が備える固定部材とともに一体に成型ができるので製造が容易であり、製造コストを低く抑制することができる。
【００２３】
請求項６の発明は、請求項３の発明において、レンズホルダの両端の光ディスクから遠い側の段に配置された弾性部材は略同一平面上にある対物レンズ駆動装置である。
【００２４】
平板を加工して１つの枠体の中に４本の弾性部材を形成し、レンズホルダ、装置本体が備える固定部材とともに一体に成型ができるので製造が容易であり、製造コストを低く抑制することができる。
【００２５】
請求項７の発明は、請求項１の発明または請求項２の発明において、弾性部材は装置本体側において分岐し、分岐した一方が装置本体に固定される対物レンズ駆動装置である。
【００２６】
弾性部材の弾性特性を最適なものにすることができる。
【００２７】
請求項８の発明は、請求項７の発明において、少なくとも複数列の最も内側の列に配置された弾性部材は分岐した箇所と装置本体との間に屈曲部を備えている対物レンズ駆動装置である。
【００２８】
最も内側の列の弾性部材の、光ディスクのトラッキング方向の弾性力が弱くなる。それによりレンズホルダを弾性支持する弾性部材の、光ディスクのフォーカス方向の弾性力とトラッキング方向の弾性力のバランスをとることができる。
【００２９】
請求項９の発明は、請求項７の発明において、分岐した箇所から装置本体に近い弾性部材はダンピングゲルに覆われている対物レンズ駆動装置である。
【００３０】
固定部材からレンズホルダに伝わる振動や衝撃を和らげることができる。
【００３１】
請求項１０の発明は、請求項１の発明または請求項２の発明において、弾性部材はレンズホルダに埋設された対物レンズ駆動装置である。
【００３２】
弾性部材はレンズホルダと一体に成型される。そのため容易に弾性部材とレンズホルダとを組み合わせることができる。
【００３３】
請求項１１の発明は、請求項１０の発明において、第１フォーカスコイルと一組の第１弾性部材との接続、第２フォーカスコイルと一組の第２弾性部材との接続及びトラッキングコイルと一組の第３弾性部材との接続の少なくとも一部はレンズホルダの装置本体と反対側である対物レンズ駆動装置である。
【００３４】
弾性部材を第１フォーカスコイル、第２フォーカスコイル、及びトラッキングコイルと接続するためのスペースを確保しやすい。そのため製造が容易であるとともに製造コストを低く抑制することができる。
【００３５】
請求項１２の発明は、請求項１の発明または請求項２の発明において、装置本体は弾性部材を埋設する固定部材を備えた対物レンズ駆動装置である。
【００３６】
弾性部材は固定部材と一体に成型される。そのため容易に弾性部材と固定部材とを組み合わせることができる。
【００３７】
請求項１３の発明は、請求項１２の発明において、固定部材のレンズホルダと反対側にフレキシブルプリント基板のランドが配置され、第１弾性部材、第２弾性部材、第３弾性部材はランドでフレキシブルプリント基板と接続される対物レンズ駆動装置である。
【００３８】
弾性部材をフレキシブルプリント基板と接続するためのスペースを確保しやすい。そのため製造が容易であるとともに製造コストを低く抑制することができる。
【００３９】
請求項１４の発明は、請求項１の発明または請求項２の発明において、装置本体は弾性部材を埋設した固定部材を固定する平坦部と、平坦部の両端から略同一の方向に伸びた腕部と、両腕部の間の平坦部を略直角に折り曲げた第１立設ヨーク部と、両腕部を斜め方向の折り目で内側に第１立設ヨーク部と同一側の略直角に折り曲げ両腕部の先端部を第１立設ヨーク部に対向するように折り曲げた第２立設ヨーク部と、を有するヨークを備える対物レンズ駆動装置である。
【００４０】
必要とするスペースが少ないので光ピックアップ装置を小型化しやすい。
【００４１】
請求項１５の発明は、請求項３の発明において、弾性部材がレンズホルダの両端に２段で配置される間隙は１ｍｍ以下である対物レンズ駆動装置である。
【００４２】
対物レンズ駆動装置の厚さを薄くすることができる。
【００４３】
請求項１６の発明は、請求項１の発明または請求項２の発明において、弾性部材の幅はレンズホルダに近い部分と装置本体に近い部分と中央部分とで異なる対物レンズ駆動装置である。
【００４４】
全体の幅が狭い弾性部材の弾性特性とあまり変わらない弾性特性とすることができる。そのため、パンチプレス等で比較的容易に弾性部材を製造することができる。
【００４５】
請求項１７の発明は、請求項１６の発明において、弾性部材の幅は中央部分が広く、レンズホルダに近い部分と装置本体に近い部分が狭い対物レンズ駆動装置である。
【００４６】
中央部分はあまり弾性特性に影響を与えないため、全体の幅が狭い弾性部材の弾性特性とあまり変わらない弾性特性とすることができる。そのため、パンチプレス等で比較的容易に弾性部材を製造することができる。
【００４７】
請求項１８の発明は、枠と一体に形成され光ディスクから近い側に配置される４本の弾性部材を備えた第１枠体及び枠と一体に形成され光ディスクから遠い側に配置される４本の弾性部材を備えた第２枠体を製造する第１ステップと、第１枠体と第２枠体とを所定の間隔で離して、レンズホルダ及び固定部材を第１枠体及び第２枠体と一体で成型する第２ステップと、レンズホルダに第１フォーカスコイル、第２フォーカスコイル及びトラッキングコイルを固定し第１フォーカスコイルは８本の弾性部材のうちの一組の第１弾性部材と接続し第２フォーカスコイルは８本の弾性部材のうちの一組の第２弾性部材と接続しトラッキングコイルは８本の弾性部材のうちの一組の第３弾性部材と接続する第３ステップと、対物レンズをレンズホルダの所定の位置に配置する第４ステップと、枠と弾性部材を切り離す第５ステップと、を備える対物レンズ駆動装置の製造方法である。
【００４８】
弾性部材はレンズホルダ及び固定部材と一体に成型される。そのため製造が容易であるとともに製造コストを低く抑制することができる。
【００４９】
請求項１９の発明は、枠と一体に形成され光ディスクから近い側のうち内側の列に配置される２本の弾性部材を備える第１枠体及び枠と一体に形成され光ディスクから近い側のうち外側の列に配置される２本の弾性部材を備える第２枠体ならびに枠と一体に形成され光ディスクから遠い側のうち内側の列に配置される２本の弾性部材を備える第３枠体及び枠と一体に形成され光ディスクから遠い側のうち外側の列に配置される２本の弾性部材を備える第４枠体を製造する第１ステップと、近接して重ね合わせた第１枠体と第２枠体及び近接して重ね合わせた第３枠体と第４枠体とを所定の間隔で離して、レンズホルダ及び固定部材を第１枠体から第４枠体と一体で成型する第２ステップと、レンズホルダに第１フォーカスコイル、第２フォーカスコイル及びトラッキングコイルを固定し第１フォーカスコイルは８本の弾性部材のうちの一組の第１弾性部材と接続し第２フォーカスコイルは８本の弾性部材のうちの一組の第２弾性部材と接続しトラッキングコイルは８本の弾性部材のうちの一組の第３弾性部材と接続する第３ステップと、対物レンズをレンズホルダの所定の位置に配置する第４ステップと、枠と弾性部材を切り離す第５ステップと、を備える対物レンズ駆動装置の製造方法である。
【００５０】
弾性部材はレンズホルダ及び固定部材と一体に成型される。そのため製造が容易であるとともに製造コストを低く抑制することができる。
【００５１】
請求項２０の発明は、光ディスクにレーザ光を出射する対物レンズを保持するレンズホルダと、レンズホルダの一端を光ディスクのフォーカス方向に移動させる第１フォーカスコイルと、レンズホルダの他端を光ディスクのフォーカス方向に移動させる第２フォーカスコイルと、レンズホルダを光ディスクのトラッキング方向に移動させるトラッキングコイルと、第１フォーカスコイルに電流を流す一組の第１弾性部材と第２フォーカスコイルに電流を流す一組の第２弾性部材とトラッキングコイルに電流を流す一組の第３弾性部材とを備えた弾性部材と、を具備し、レンズホルダが装置本体に対して弾性部材によって弾性支持され、且つ、弾性部材がレンズホルダの両端に光ディスクのトラッキング方向に複数列で配置された対物レンズ駆動装置、を備える光ピックアップ装置である。
【００５２】
対物レンズ駆動装置は、必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。そのため、光ピックアップ装置は薄型で、ＣＤ、ＤＶＤのすべての記録再生に対応できる。
【００５３】
請求項２１の発明は、光ディスクにレーザ光を出射する対物レンズを保持するレンズホルダと、レンズホルダの両端を光ディスクのフォーカス方向に移動させる第１フォーカスコイルと、レンズホルダの一端を光ディスクのフォーカス方向に移動させ他端を反対向きの光ディスクのフォーカス方向に移動させる第２フォーカスコイルと、レンズホルダを光ディスクのトラッキング方向に移動させるトラッキングコイルと、第１フォーカスコイルに電流を流す一組の第１弾性部材と第２フォーカスコイルに電流を流す一組の第２弾性部材とトラッキングコイルに電流を流す一組の第３弾性部材とを備えた弾性部材と、を具備し、レンズホルダが装置本体に対して弾性部材によって弾性支持され、且つ、弾性部材がレンズホルダの両端に光ディスクのトラッキング方向に複数列で配置された対物レンズ駆動装置、を備える光ピックアップ装置である。
【００５４】
対物レンズ駆動装置は、必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。そのため、光ピックアップ装置は薄型で、ＣＤ、ＤＶＤのすべての記録再生に対応できる。
【００５５】
請求項２２の発明は、光ディスクにレーザ光を出射する対物レンズを保持するレンズホルダと、レンズホルダの一端を光ディスクのフォーカス方向に移動させる第１フォーカスコイルと、レンズホルダの他端を光ディスクのフォーカス方向に移動させる第２フォーカスコイルと、レンズホルダを光ディスクのトラッキング方向に移動させるトラッキングコイルと、第１フォーカスコイルに電流を流す一組の第１弾性部材と第２フォーカスコイルに電流を流す一組の第２弾性部材とトラッキングコイルに電流を流す一組の第３弾性部材とを備えた弾性部材と、を具備し、レンズホルダが装置本体に対して弾性部材によって弾性支持され、且つ、弾性部材がレンズホルダの両端に光ディスクのトラッキング方向に複数列で配置された対物レンズ駆動装置、を備える光ディスク装置である。
【００５６】
対物レンズ駆動装置は、必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。そのため、光ディスク装置は薄型で、ＣＤ、ＤＶＤのすべての記録再生に対応できる。
【００５７】
請求項２３の発明は、光ディスクにレーザ光を出射する対物レンズを保持するレンズホルダと、レンズホルダの両端を光ディスクのフォーカス方向に移動させる第１フォーカスコイルと、レンズホルダの一端を光ディスクのフォーカス方向に移動させ他端を反対向きの光ディスクのフォーカス方向に移動させる第２フォーカスコイルと、レンズホルダを光ディスクのトラッキング方向に移動させるトラッキングコイルと、第１フォーカスコイルに電流を流す一組の第１弾性部材と第２フォーカスコイルに電流を流す一組の第２弾性部材とトラッキングコイルに電流を流す一組の第３弾性部材とを備えた弾性部材と、を具備し、レンズホルダが装置本体に対して弾性部材によって弾性支持され、且つ、弾性部材がレンズホルダの両端に光ディスクのトラッキング方向に複数列で配置された対物レンズ駆動装置、を備える光ディスク装置である。
【００５８】
対物レンズ駆動装置は、必要な本数の弾性部材をレンズホルダの両端に光ディスクのトラッキング方向に複数列で配置する。そのため、光ディスクのフォーカス方向に重ねる段数を減らすことができ、薄型化ができる。さらに第１フォーカスコイル、第２フォーカスコイル、及びトラッキングコイルに電流を流すのに十分な本数の弾性部材を確保することができ、対物レンズの光ディスクに対する傾き制御が行える。そのため、光ディスク装置は薄型で、ＣＤ、ＤＶＤのすべての記録再生に対応できる。
【００５９】
請求項２４の発明は、請求項１の発明または請求項２の発明において、複数列の最も内側の列に配置された弾性部材と最も外側の列に配置された弾性部材とのレンズホルダにおける間隔と装置本体における間隔との比は、レンズホルダの両側に配置された弾性部材のレンズホルダにおける間隔と装置本体における間隔との比にほぼ等しい対物レンズ駆動装置である。
【００６０】
トラッキング方向のバネ定数を小さくしてフォーカス方向のバネ定数とほぼ同じにすることができるため、トラッキング方向とフォーカス方向の弾性特性のバランスを取ることができる。
【００６１】
請求項２５の発明は、請求項１の発明または請求項２の発明において、レンズホルダの両側に配置された弾性部材の装置本体側における間隔は、レンズホルダ側における間隔以下である対物レンズ駆動装置である。
【００６２】
レンズホルダ側は、レンズホルダに対物レンズ、第１フォーカスコイル、第２フォーカスコイル、トラッキングコイルを配置するため、幅が広くなりやすい。装置本体側における間隔を小さくすることで対物レンズ駆動装置を少しでも小さく軽くすることができる。
【００６３】
請求項２６の発明は、請求項２５の発明において、複数列の最も内側の列に配置された弾性部材と最も外側の列に配置された弾性部材との装置本体における間隔は、レンズホルダにおける間隔以下である対物レンズ駆動装置である。
【００６４】
トラッキング方向のバネ定数を小さくすることができるため、トラッキング方向とフォーカス方向の弾性特性のバランスを取ることができる。
【００６５】
請求項２７の発明は、請求項１の発明または請求項２の発明において、弾性部材は少なくとも１つの屈折点を有し、同じ段の隣り合う弾性部材は、レンズホルダから屈折点までの間及び屈折点から装置本体までの間においてほぼ平行である対物レンズ駆動装置。
【００６６】
弾性部材をプレスで作製する際に、弾性部材の間隔は抜きの間隔に相当する。隣り合う弾性部材を平行にすることで、抜きの間隔を長い距離で広く確保することができる。そのため容易に弾性部材を作製することができる。
【００６７】
請求項２８の発明は、請求項２７の発明において、弾性部材が複数の屈折点を有する場合、同じ段の隣り合う弾性部材は、各屈折点の間において、ほぼ平行である対物レンズ駆動装置である。
【００６８】
弾性部材をレンズホルダ及び装置本体側に対してほぼ直角に引き出すことができる。そのため、弾性特性が安定する。
【００６９】
請求項２９の発明は、請求項７の発明において、装置本体に固定されるのは、最も内側の列に配置された弾性部材においては外側に分岐した方であり、最も外側の列に配置された弾性部材においては内側に分岐した方である対物レンズ駆動装置である。
【００７０】
装置本体における最も内側の列に配置された弾性部材と最も外側に配置された弾性部材との間隔を狭いままにすることができる。
【００７１】
（実施の形態１）
本実施の形態１について図面を参照しながら説明する。図１は本実施の形態１の対物レンズ駆動装置の構成図である。本実施の形態１において対物レンズ駆動装置１１は、対物レンズ１、フォーカスコイル６、トラッキングコイル７がレンズホルダ２の所定の位置に固定されている。また、磁石８を固定したヨーク５に固定部材４が固定されており、これを装置本体という。そして弾性部材３の一端部がレンズホルダ２に、他端部が固定部材４に固定されている。レンズホルダ２は弾性部材３によって弾性支持される。弾性部材３はレンズホルダ２の両端に複数列で配置されるが、本実施の形態１において弾性部材３の配列は２列２段とした。フォーカスコイル６、トラッキングコイル７との接続に必要な弾性部材３の本数６本を満たす最も少ない複数列の配列は３列１段であるが、３列１段は対物レンズ駆動装置１１の幅が大きくなりやすい。そのため、本実施の形態１において弾性部材３の配列は２列２段の配列とした。その際の弾性部材３の本数は８本である。また、本実施の形態１において、光ディスクのトラッキング方向に弾性部材３が並ぶ配列を列、光ディスクのフォーカス方向に並ぶ配列を段という。列は対物レンズ駆動装置１１の幅方向、段は対物レンズ駆動装置１１の厚さ方向である。複数列の弾性部材３が配置される場合、対物レンズ１から近い側を内側、遠い側を外側という。２段の弾性部材３が配置される場合、光ディスクから近い側の段を上段、遠い側の段を下段という。
【００７２】
本実施の形態１において、上段と下段の弾性部材３の間隙は０．６ｍｍとした。１ｍｍ以下であれば、従来の構成に対し、十分に対物レンズ駆動装置１１の厚さを薄くできる。０．８ｍｍであれば弾性部材３とフォーカスコイル６やトラッキングコイル７との接続に必要なスペース、弾性部材３とフォーカスコイル６やトラッキングコイル７に電流を流すための導電線との接続に必要なスペースを余裕を持って確保できる。また、弾性部材３、レンズホルダ２、固定部材４を一体で成型しようとする場合、各弾性部材３間に挿入するスペーサの厚さも余裕を持って確保できる。０．６ｍｍであれば、従来構成の各弾性部材間の間隙とほぼ同等であり、弾性部材３とフォーカスコイル６やトラッキングコイル７との接続に必要なスペース、弾性部材３とフォーカスコイル６やトラッキングコイル７に電流を流すための導電線との接続に必要なスペースをぎりぎり確保できる。また、弾性部材３、レンズホルダ２、固定部材４を一体で成型しようとする場合、各弾性部材３間に挿入するスペーサの厚さがぎりぎり確保できる。そして、対物レンズ駆動装置１１の厚さを極力薄くすることができる。
【００７３】
構成について説明する。対物レンズ１は、レーザ光源（図示せず）から出射されたレーザ光を光ディスク（図示せず）の記録面で焦点が合うように集光させるレンズである。ＣＤとＤＶＤと焦点位置が異なり、対物レンズ１は２焦点レンズである。対物レンズ１は光学ガラスや光学プラスチックで形成される。対物レンズ１はレンズホルダ２に固定される。
【００７４】
図２は本実施の形態１のレンズホルダの構成図である。後述するように、レンズホルダ２を成型する際、弾性部材３を一体で成型するため弾性部材３も図の中で表示されている。レンズホルダ２は対物レンズ１がその上部に固定される第１貫通孔２ａを中央部に備える。また、フォーカスコイル６が固定される第２貫通孔２ｂを第１貫通孔２ａの両側に備える。第２貫通孔２ｂは光ディスクの略トラッキング方向に並べられる。また、外縁部に第２貫通孔２ｂを挟むように切り欠き部２ｃを設けた。切り欠き部２ｃにトラッキングコイル７が固定される。さらに光ディスクの略トラッキング方向のレンズホルダ２の端部の側面に弾性部材３を保持するための突出部２ｄを設けた。レンズホルダ２は後述するように突出部２ｄに弾性部材３を電気的に絶縁して保持するため、絶縁性材料であるガラスフィラー入り液晶ポリマ等で形成される。レンズホルダ２の両端部の側面の突出部２ｄにはそれぞれ４本ずつの弾性部材３が内側と外側の２列に上段と下段の２段で配置される。
【００７５】
図３（ａ）は本実施の形態１の弾性部材を含む枠体の平面図、図３（ｂ）はＡ部拡大模式図である。図３（ａ）に示すように本実施の形態１において弾性部材３は平板をパンチプレス等で打ち抜き、枠１０ａで囲まれるようにした。これを枠体１０という。本実施の形態１では弾性部材３の厚さ、すなわち枠体１０の厚さは０．０５ｍｍとした。しかしそれに限るものではなく、弾性特性や機械的強度の面から０．０２５ｍｍから０．１０ｍｍ程度の範囲で選択するのが好ましい。弾性部材３の断面形状は平板状である。
【００７６】
また、内側の弾性部材３ａの幅も外側の弾性部材３ｂの幅も図３（ｂ）に示すように、中央部分を０．０９ｍｍと広くし、レンズホルダ２に近い部分と装置本体である固定部材４に近い部分の幅を０．０７ｍｍと狭くした。パンチプレスで打ち抜く際、幅が広い方が寸法精度や断面の均一性が有利になる。しかし弾性特性は、設計上、幅が狭い方が求められる。そこで、弾性特性に影響が少ない中央部分の幅を広くして全体の幅が狭い弾性部材３の弾性特性とあまり変わらない弾性特性とするとともに、比較的容易に製造できるようにした。本実施の形態１では弾性部材３の幅は中央部分を広くして、レンズホルダ２に近い部分及び固定部材４に近い部分と異なるようにした。しかし、それに限るものではなく、弾性部材３に要求される弾性特性と製造の容易さが両立できるようにすれば良い。したがって、例えば、固定部材４に近い側と中央部分を広くしてレンズホルダ２に近い部分を狭くしても構わないし、固定部材４に近い側をさらに中央部分より広くしても良い。また、レンズホルダ２に近い部分と固定部材４に近い部分を中央部分よりは狭くしつつ幅は違えても構わない。また、本実施の形態１の弾性部材３は後述するように固定部材４に近い側で分岐箇所３ｃ、３ｄを有する。上記弾性部材３の幅の説明は分岐箇所３ｃ、３ｄとレンズホルダ２の間の弾性部材３について述べた。分岐箇所３ｃ、３ｄがない場合には、固定部材４とレンズホルダ２の間の弾性部材３の幅として良い。
【００７７】
後述するように弾性部材３はレンズホルダ２、固定部材４と一体に成型されてから枠１０ａと切り離される。なお、本実施の形態１では弾性部材３は平板状としたが、弾性部材３は断面が円状のワイヤ等でも構わない。弾性部材３、すなわち枠体１０は鉄合金、銅合金（例えば銅−ベリリウム合金）等の弾性のある導電材料で形成される。本実施の形態１において、上段に配置された弾性部材３と下段に配置された弾性部材３の形状は同一としたが、それぞれを最適な形状としても良い。また、内側の列に配置された弾性部材３ａと外側の列に配置された弾性部材３ｂの形状は違えたが、設計によっては同一としても良い。さらに、レンズホルダ２の両側面側の弾性部材３は対称な形状としたが、光ディスクの半径方向の内側と外側に相当するので、設計によっては違えても良い。後述するように弾性部材３の一方の端部はレンズホルダ２の中に、他方の端部は固定部材４の中に埋設して設けられる。
【００７８】
内側の弾性部材３ａ、外側の弾性部材３ｂともレンズホルダ２や固定部材４に埋設される端部は幅広にした。これは後述するように弾性部材３がレンズホルダ２、固定部材４に埋設される箇所はその際に強度が保てるためであり、フォーカスコイル６やトラッキングコイル７、導電線と接続する箇所は容易に接続できるようにするためである。また、弾性部材３は固定部材４に近い側で分岐箇所３ｃ、３ｄを有し、それぞれ一方のみが固定部材４に固定される。分岐箇所３ｃ、３ｄを設けたのは、弾性部材３の弾性特性を整えるためである。また、内側の弾性部材３ａの分岐箇所３ｃより固定部材４に近い側には屈曲部３ｅを設けた。屈曲部３ｅの形状は分岐箇所３ｃで内側に屈曲し、さらに外側に屈曲し、再び内側に屈曲し、最後にレンズホルダ２側から分岐箇所３ｃまでとほぼ平行になるように屈曲するような形状である。屈曲部３ｅを設けることで、内側の弾性部材３ａの、光ディスクのトラッキング方向の弾性力が弱くなる。それによりレンズホルダ２を弾性支持する弾性部材３の、光ディスクのフォーカス方向の弾性力とトラッキング方向の弾性力のバランスをとることができる。この屈曲部３ｅは３列以上が配置される場合は、少なくとも最も内側の列に配置された弾性部材３ａには設けられる。
【００７９】
なお、弾性部材３の形状は上記に示す通りのものである必要はなく、その系に最適な形状を設計すれば良い。
【００８０】
図４は本実施の形態１の固定部材の構成図である。固定部材４もレンズホルダ２と同様弾性部材３と一体に成型されるため、弾性部材３も図の中で表示されている。固定部材４も弾性部材３を電気的に絶縁して保持するため、絶縁性材料であるガラスフィラー入り液晶ポリマ等で形成される。固定部材４は弾性部材３を保持する保持部４ａと内側の弾性部材３ａの屈曲部３ｅを収めるための切り欠き部４ｂとを有する。
【００８１】
図５（ａ）は本実施の形態１の磁石を配置したヨークの構成図、図５（ｂ）は他の例の構成図である。ヨーク５は鉄合金等の磁性体からなる。図５（ａ）に示すようにヨーク５は固定部材４が固定される平坦部５ａからレンズホルダ２が配置される側に向けて両端から腕部５ｂが略同一方向に伸びた構成になっている。ヨーク５には、同一側に折り曲げられた第１立設ヨーク部５ｃ、第２立設ヨーク部５ｄが２つずつ、及び側立設部５ｅ、５ｆ、立設部５ｇ、５ｈが設けられている。第１立設ヨーク部５ｃは腕部５ｂが伸びるすぐ内側の平坦部５ａから略直角に折り曲げられている。第２立設ヨーク部５ｄは腕部５ｂが内側に向かうように折れ曲がる所を互いに対向するように略直角に折り曲げ、さらに第１立設ヨーク部５ｃと対向するように折り曲げて形成される。側立設部５ｅ、５ｆは平坦部５ａの側部を対向するように折り曲げる。立設部５ｇは第１立設ヨーク部５ｃと第２立設ヨーク部５ｄの間で腕部５ｂの内側部分を互いに対向するように折り曲げて形成される。立設部５ｈは平坦部５ａの中央部に第１立設ヨーク部５ｃと同じ向きに折り曲げて形成される。なお、本実施の形態１において第１立設ヨーク部５ｃは２つであるが、設計により１つまたは３つ以上であっても構わない。
【００８２】
また、図５（ｂ）において、第２立設ヨーク部５ｄは腕部５ｂを斜め方向の折り目で略直角に立ち上がるように折り曲げ、さらに第１立設ヨーク部５ｃと対向するように先端部を折り曲げて形成される。この構造であると必要とするスペースは少なくて済む。また、腕部５ｂは内側にＬ字状に曲がった形状とし、その曲がる箇所を直角に折り曲げる構造としても良い。折り曲げ箇所が１箇所になるという利点はあるものの、図５（ａ）や図５（ｂ）の構造の方が必要とするスペースは少なくて済む。
【００８３】
磁石８は永久磁石である。磁石８は第１立設ヨーク部５ｃ、第２立設ヨーク部５ｄの対向する面に嫌気硬化性接着剤、紫外線硬化接着剤、熱硬化性接着剤などによって接合されている。磁石８はトラッキングコイル７とずれた位置で対向するように配置されている。
【００８４】
図６（ａ）は本実施の形態１のフォーカスコイル、トラッキングコイルと弾性部材との接続を示す固定部材と反対側から見た図、図６（ｂ）は固定部材側から見た図である。フォーカスコイル６は銅あるいは銅合金等で構成された被覆導電線が巻かれている。フォーカスコイル６は第１フォーカスコイル６ａと第２フォーカスコイル６ｂとで構成される。第１フォーカスコイル６ａ、第２フォーカスコイル６ｂはそれぞれレンズホルダ２の第２貫通孔２ｂの下面側の周囲に熱硬化性接着剤や紫外線硬化接着剤等で固定される。本実施の形態１において、第１フォーカスコイル６ａから引き出されたリード線６ｃは端部を同じ側の内側の弾性部材３ａから引き出された接続部に巻かれて半田で固定される。この第１フォーカスコイル６ａと接続する２本一組の弾性部材３を第１弾性部材３ｆという。また第２フォーカスコイル６ｂから引き出されたリード線６ｄは端部を同じ側の内側の弾性部材３ａから引き出された接続部に巻かれて半田で固定される。この第２フォーカスコイル６ｂと接続する２本一組の弾性部材３を第２弾性部材３ｇという。本実施の形態１の第１フォーカスコイル６ａ及び第２フォーカスコイル６ｂは単独の巻線を用いたが、それに限るものではない。後述するトラッキングコイル６のように１本の被覆導電線で複数の巻線を形成したコイルとしても良い。また、複数の巻線を連結したコイルとしても良い。また、本実施の形態１においては第１フォーカスコイル６ａと第２フォーカスコイル６ｂとを合わせて２つのフォーカスコイル６を用いたが、本実施の形態１の弾性部材３はトラッキングコイル７と合わせて４つまでのコイルを接続することができるので、３つのフォーカスコイル６を用いても良い。
【００８５】
トラッキングコイル７は銅あるいは銅合金等で構成された被覆導電線が巻かれている。本実施の形態１のトラッキングコイル７は４つの巻線を同一の導電線によって形成されており、１つのコイルである。トラッキングコイル７はレンズホルダ２の切り欠き部２ｃのそれぞれ熱硬化性接着剤や紫外線硬化接着剤等で固定される。各切り欠き部２ｃに配置された各トラッキングコイル７はリード線７ａでつながれており、トラッキングコイル７のリード線７ａの端部はフォーカスコイル６と接続された下段の外側の弾性部材３ｂの端部に巻かれて、半田で固定される。このトラッキングコイル７と接続する２本一組の弾性部材３を第３弾性部材３ｈという。本実施の形態１のトラッキングコイル７は４つの巻線で１つのコイルとしたが、それに限るものではない。別の個数のトラッキングコイルを１つとしても良い。また、本実施の形態１では１つのトラッキングコイルを用いたが、本実施の形態１の弾性部材３はフォーカスコイル６と合わせて４つまでのコイルを接続することができるので、２つのトラッキングコイル７を用いても良い。弾性部材３は第１フォーカスコイル６ａ、第２フォーカスコイル６ｂ及びトラッキングコイル７のいずれにも接続しない第４弾性部材３ｉを含んでいる。第４弾性部材３ｉは上段の外側の弾性部材３ｂである。第４弾性部材３ｉを含めて弾性部材３の本数を８本とすることで、弾性部材３を上下左右対称に配置することができ、バランス良くレンズホルダ２を弾性支持することができる。
【００８６】
なお、本実施の形態１において、第１弾性部材３ｆ、第２弾性部材３ｇは内側の弾性部材３ａ、第３弾性部材３ｈは下段の外側の弾性部材３ｂ、第４弾性部材３ｉは上段の外側の弾性部材３ｂとしたが、それに限るものではない。作業のしやすさ、リード線６ｃ、６ｄ、７ａの配線を考慮して第１弾性部材３ｆ、第２弾性部材３ｇ、第３弾性部材３ｈ、第４弾性部材３ｉの配置を決定して良い。
【００８７】
また、第４弾性部材３ｉを廃止し、トラッキングコイル７は二組の第３弾性部材３ｈと接続しても構わない。すなわち、巻線に近いリード線７ａを一組目の第３弾性部材３ｈと接続し、さらに先端部分のリード線７ａを二組目の第３弾性部材３ｈと接続する。第３弾性部材３ｈを二組使うことで、第３弾性部材３ｈの電気抵抗を半分にすることができる。そのためトラッキングコイル７に駆動電流を多く流すことができ、対物レンズ駆動装置１１の感度を上げることができる。本実施の形態１の場合、第１フォーカスコイル６ａまたは第２フォーカスコイル６ｂのいずれか一方と接続する弾性部材３を二組とするのは、バランスが崩れるため好ましくない。しかしレンズホルダ２の両端に３列以上の弾性部材３を配置する場合は、第１弾性部材３ｆ及び第２弾性部材３ｇを二組として構わない。
【００８８】
このようにフォーカスコイル６やトラッキングコイル７が弾性部材３と接続されるのは少なくとも一部が固定部材４と反対側となるようにした。そのため接続の作業をするためのスペースが確保されるため、製造が容易であるとともに製造コストを低く抑制できる。
【００８９】
図７は本実施の形態１の固定部材側における弾性部材と導電線の接続を示す図である。固定部材４は絶縁性材料からなり、弾性部材３の他端部が埋設されている。すなわち、固定部材４は弾性部材３を介してレンズホルダ２を変位可能に弾性的に片持ち支持している。固定部材４のレンズホルダ２と反対側には導電線としてのＦＰＣ（フレキシブルプリント基板）４ｃが取り付けあるいは近接して設けられている。ＦＰＣ４ｃには貫通孔及びその周囲にはランドが設けられている。貫通孔に弾性部材３を通し、ランドと弾性部材３とを半田付けして、ＦＰＣ４ｃと弾性部材３とを電気的に接続する。固定部材４はヨーク５に固定される。ＦＰＣ４ｃが固定部材４のレンズホルダ２と反対側に設けられているため、接続の作業をするスペースが確保されて製造が容易であるとともに製造コストを低く抑制できる。
【００９０】
また、図１に示すように分岐箇所３ｃ、３ｄから固定部材４に近い側の弾性部材３はダンピングゲル１２に覆われている。ダンピングゲル１２はシリコン系樹脂やアクリル系樹脂であり、固定部材４からレンズホルダ２に伝わる振動や衝撃を和らげる。
【００９１】
なお、本実施の形態１において、弾性部材３をレンズホルダ２の両端に２列２段に配置したが、弾性部材３を９本以上に増やす必要が生じた場合は、３列２段等３列以上の複数列に列数を増やして配置しても構わない。また、段数を増やすことは対物レンズ駆動装置１１の厚さを増すことであり、好ましくない。しかし、対物レンズ駆動装置１１の厚さの制約が無ければ、３段以上に段数を増やしても構わない。逆に１段とすることにより、対物レンズ駆動装置１１の厚さを非常に薄くすることができるため、前述の３列１段、あるいはそれ以上の列数にしても良い。弾性部材３を９本以上に増やす場合とは、例えば、フォーカスコイル６やトラッキングコイル７の個数を増やして、フォーカス制御やトラッキング制御の精度を向上させる場合がある。またフォーカスコイル６やトラッキングコイル７の発熱による温度上昇を抑えるために冷却装置をレンズホルダ２に搭載する場合等もある。
【００９２】
次に、製造方法について説明する。図８（ａ）は本実施の形態１の対物レンズ駆動装置の製造方法を示す平板の図、図８（ｂ）は枠体の完成の図、図８（ｃ）はレンズホルダと固定部材の成型の完成の図、図８（ｄ）はフォーカスコイルとトラッキングコイルの取り付けの完成の図、図８（ｅ）は対物レンズの取り付けの完成の図、図８（ｆ）は弾性部材の切断の完成の図、図８（ｇ）は磁石を配置したヨークの取り付けの完成の図、図８（ｈ）はＦＰＣの取り付けとダンピングゲルの注入をして対物レンズ駆動装置の完成の図である。
【００９３】
まず、弾性部材３の材料である弾性のある導電材料の平板９を加工し、枠１０ａと枠１０ａに連なっている弾性部材３を備える枠体１０をパンチプレス等で作製する。枠体１０は上段の４本の弾性部材３を備える第１枠体１０ｂ、下段の４本の弾性部材３を備える第２枠体１０ｃとが準備される。前述のように第１枠体１０ｂと第２枠体１０ｃとは同じ形状のものでも構わないし、違う形状のものでも構わない。次に第１枠体１０ｂと第２枠体１０ｃとをスペーサ（図示せず）を挟んで重ね合わせ、レンズホルダ２と固定部材４を成型する。その際、弾性部材３の端部がレンズホルダ２の突出部２ｄと固定部材４の保持部４ａに埋設されるようにする。次に第１フォーカスコイル６ａと第２フォーカスコイル６ｂからなるフォーカスコイル６とトラッキングコイル７とをレンズホルダ２の所定の位置に固定する。そして第１フォーカスコイル６ａのリード線６ｃの端部と第１弾性部材３ｆの端部、第２フォーカスコイル６ｂのリード線６ｄの端部と第２弾性部材３ｇの端部、トラッキングコイル７のリード線７ａの端部と第３弾性部材３ｈの端部とをそれぞれ接続する。第４弾性部材３ｉには接続しない。次に対物レンズ１をレンズホルダ２の所定の位置に固定する。次に第１枠体１０ｂ、第２枠体１０ｃの弾性部材３と枠１０ａとの間を切断する。切断する方法はパンチプレスで切断する方法やレーザ光を照射して焼き切る方法等がある。次にあらかじめ磁石８を第１立設ヨーク部５ｃ、第２立設ヨーク部５ｄの所定の位置に固定したヨーク５と固定部材４とを固定する。最後にＦＰＣ４ａを取り付けて弾性部材３と接続し、固定部材４に近い側の弾性部材３の周囲にダンピングゲル１２を注入して完成とする。
【００９４】
枠体１０を作製し、レンズホルダ２、固定部材４と一体に成型する方法は作製が容易であり、製造コストを低く抑制することができる。
【００９５】
なお、本実施の形態１では枠体１０は４本の弾性部材３を備えた第１枠体１０ｂ、第２枠体１０ｃとした。しかし、上段のうち内側の弾性部材３ａを備える第１枠体１０ｄ、外側の弾性部材３ｂを備える第２枠体１０ｅ、下段のうち内側の弾性部材３ａを備える第３枠体１０ｆ、外側の弾性部材３ｂを備える第４枠体１０ｇを作製しても良い。レンズホルダ２と固定部材４とを成型する際、第１枠体１０ｄと第２枠体１０ｅとをほぼ隙間がないように重ね合わせ、第３枠体１０ｆと第４枠体１０ｇとをほぼ隙間がないように重ね合わせ、この両者の間にスペーサを挟んで重ね合わせるようにすれば良い。また、上段の枠体１０は４本の弾性部材３を備え、下段の枠体１０は２本の弾性部材３を備えた枠体１０を２つ重ね合わせたものとしても良い。またその逆の構成としても良い。
【００９６】
また、３列以上の複数列の弾性部材３を配置するには、６本以上の弾性部材３を備える第１枠体１０ｂ、第２枠体１０ｃを準備して製造しても良いし、２本の弾性部材３を備える枠体１０を３枚以上重ね合わせて上段の枠体１０とし、同数の枠体１０を重ね合わせて下段の枠体１０としても良い。また、４本の弾性部材３を備える枠体１０と２本の弾性部材３を備える枠体１０を組み合わせて使用しても良い。
【００９７】
レンズホルダに搭載された対物レンズ１を光ディスクのフォーカス方向に移動させるには、第１フォーカスコイル６ａまたは第２フォーカスコイル６ｂの少なくとも一方へ電流を流すようにする。その経路は、第１フォーカスコイル６ａの場合、駆動電流がＦＰＣ４ｃを通り、第１弾性部材３ｆから第１フォーカスコイル６ａへ流れ、さらに反対側の第１弾性部材３ｆからＦＰＣ４ｃに戻る経路である。第２フォーカスコイル６ｂの場合、駆動電流がＦＰＣ４ｃを通り、第２弾性部材３ｇから第２フォーカスコイル６ｂへ流れ、さらに反対側の第２弾性部材３ｇからＦＰＣ４ｃに戻る経路である。すると第１フォーカスコイル６ａまたは第２フォーカスコイル６ｂに流れた電流に応じて磁石８の磁界との間で電磁力が発生し、対物レンズ１はフォーカス方向に移動する。第１フォーカスコイル６ａに流す駆動電流と第２フォーカスコイル６ｂに流す駆動電流を変えるとそれぞれのコイルに発生する電磁力が異なるためにフォーカス方向に移動する量も変わり、対物レンズ１の姿勢を変えることができる。また、対物レンズ１を光ディスクのトラッキング方向に移動させるには、駆動電流がＦＰＣ４ｃ、第３弾性部材３ｈからトラッキングコイル７に流れ、さらに反対側の第３弾性部材３ｈ、ＦＰＣ４ｃに戻るようにする。するとトラッキングコイル７に流れた電流に応じて磁石８の磁界との間で電磁力が発生し、対物レンズ１はトラッキング方向に移動する。
【００９８】
以上のように構成され、作製された本実施の形態１の対物レンズ駆動装置１１は、弾性部材３がレンズホルダ２の厚さ方向には２段に、幅方向には片側２列に、片側４本ずつ、合計８本配置されるので、第１フォーカスコイル６ａ、第２フォーカスコイル６ｂ及びトラッキングコイル７と全て接続できるとともに、接続に必要なスペースが確保できる。また第１フォーカスコイル６ａ、第２フォーカスコイル６ｂ及びトラッキングコイル７に電流を流すための導電線であるＦＰＣ４ｃと弾性部材３との接続に必要なスペースも確保できる。さらに弾性部材３、レンズホルダ２、固定部材４を一体で成型しようとする場合、各弾性部材３間に挿入するスペーサの厚さも確保できる。本実施の形態１の対物レンズ駆動装置１１は、弾性部材３が合計８本であるため、第１フォーカスコイル６ａ、第２フォーカスコイル６ｂ、トラッキングコイル７に電流を流し、対物レンズ１の光ディスクに対する傾き制御が行える。また、弾性部材３が厚さ方向に２段に配置されるので、薄型化ができる。
【００９９】
（実施の形態２）
本実施の形態２について図面を参照しながら説明する。本実施の形態２は実施の形態１の対物レンズ駆動装置に対し、第１フォーカスコイル、第２フォーカスコイルの構成が異なる対物レンズ駆動装置である。第１フォーカスコイル、第２フォーカスコイルの構成及びそれに伴う弾性部材との接続を除いては実施の形態１の対物レンズ駆動装置及びその製造方法の説明と同じなので、その説明を援用する。図９は本実施の形態２の第１フォーカスコイルと第２フォーカスコイルの巻線方向を示す図、図１０（ａ）は本実施の形態２のフォーカスコイル、トラッキングコイルと弾性部材との接続を示す固定部材と反対側から見た図、図１０（ｂ）は固定部材側から見た図である。実施の形態１と同様にフォーカスコイル１３は第１フォーカスコイル１３ａと第２フォーカスコイル１３ｂとからなる。
【０１００】
図９において、第１フォーカスコイル１３ａは同じ方向に巻かれた２つの巻線を１本のリード線１３ｃで形成したコイルである。同じ方向に巻かれた２つの巻線をリード線１３ｃでつないでも良い。また、第２フォーカスコイル１３ｂは互いに逆方向に巻かれた２つの巻線を１本のリード線１３ｄで形成したコイルである。互いに逆方向に巻かれた２つの巻線をリード線１３ｄでつないでも良い。レンズホルダ２に固定する際には一方の第２貫通孔２ｂには第１フォーカスコイル１３ａの一方の巻線と第２フォーカスコイル１３ｂの一方の巻線を重ね、他方の第２貫通孔２ｂには第１フォーカスコイル１３ａの他方の巻線と第２フォーカスコイル１３ｂの他方の巻線を重ねて配置する。
【０１０１】
図１０において、弾性部材３は実施の形態１と同じで、レンズホルダ２の両端に２列２段で配置される。実施の形態１で説明したように３列以上の配列をしても構わない。第１フォーカスコイル１３ａのリード線１３ｃの端部はレンズホルダ２の両端に配置された第１弾性部材３ｆと接続される。第２フォーカスコイル１３ｂのリード線１３ｄの端部はレンズホルダ２の両端に配置された第２弾性部材３ｇと接続される。トラッキングコイル７のリード線７ａの端部は実施の形態１と同じレンズホルダ２の両端に配置された第３弾性部材３ｈと接続される。第４弾性部材３ｉには接続されない。
【０１０２】
第１フォーカスコイル１３ａには第１弾性部材３ｆから駆動電流が流れ、第１弾性部材３ｆに戻る。第２フォーカスコイル１３ｂには第２弾性部材３ｇから駆動電流が流れ、第２弾性部材３ｇに戻る。第１フォーカスコイル１３ａに駆動電流を流すと、第１フォーカスコイル１３ａの２つの巻線には同じ方向の電磁力が発生し、レンズホルダ２の両端はレンズホルダ２の平行な姿勢を保ったまま光ディスクのフォーカス方向に移動する。すなわち第１フォーカスコイル１３ａに駆動電流を流すと、対物レンズ１全体を光ディスクのフォーカス方向に移動させることができる。一方、第２フォーカスコイル１３ｂに駆動電流を流すと、巻線の方向が逆なので第２フォーカスコイル１３ｂの２つの巻線には互いに反対方向の電磁力が発生する。そのためレンズホルダ２の一端は光ディスクのフォーカス方向に移動し、他端は反対向きのフォーカス方向に移動する。したがって、第２フォーカスコイル１３ｂに駆動電流を流すと、対物レンズ１の光ディスクに対する傾き制御が行える。
【０１０３】
なお、第４弾性部材３ｉを廃止し、第１フォーカスコイル１３ａを二組の第１弾性部材３ｆと接続するか、第２フォーカスコイル１３ｂを二組の第２弾性部材３ｇと接続するか、トラッキングコイル７を二組の第３弾性部材３ｈと接続するかのいずれか１つを選択しても良い。本実施の形態２の場合、第１フォーカスコイル１３ａは対物レンズ１全体をフォーカス方向に移動させる機能を有し、第２フォーカスコイル１３ｂは対物レンズ１の傾き制御の機能を有するため、独立して働かせることができる。そのため第１フォーカスコイル１３ａは二組の第１弾性部材３ｆと接続させることができ、第２フォーカスコイル１３ｂは二組の第２弾性部材３ｇと接続させることができる。二組の弾性部材３を使うことで、弾性部材３の電気抵抗を半分にすることができる。二組の弾性部材３に接続したコイルには駆動電流を多く流すことができるので、対物レンズ駆動装置１１の感度を上げることができる。
【０１０４】
以上のように、本実施の形態２の対物レンズ駆動装置は実施の形態１の対物レンズ駆動装置と同じく弾性部材３がレンズホルダ２の厚さ方向には２段に、幅方向には片側２列に、片側４本ずつ、合計８本配置されるので、第１フォーカスコイル１３ａ、第２フォーカスコイル１３ｂ及びトラッキングコイル７と全て接続できる。そのため対物レンズ１全体を光ディスクのフォーカス方向に移動させる第１フォーカスコイル１３ａ、対物レンズ１の光ディスクに対する傾き制御を行う第２フォーカスコイル１３ｂ、トラッキングコイル７にそれぞれ電流を流すことができる。したがって対物レンズ１の光ディスクに対する傾き制御が行える。また、弾性部材３が厚さ方向に２段に配置されるので、薄型化ができる。
【０１０５】
（実施の形態３）
本実施の形態３について図面を参照しながら説明する。本実施の形態３は実施の形態１または実施の形態２で説明した対物レンズ駆動装置を用いた光ピックアップ装置である。図１１は本実施の形態３の光ピックアップ装置の光学系の構成図、図１２は本実施の形態３の光ピックアップ装置の上面からの構成図である。本実施の形態３の光ピックアップ装置３５は、対物レンズ１を搭載した対物レンズ駆動装置１１が基台３４に固定される。さらに、レーザ光源２１、回折素子２２、ビームスプリッタ２３、ミラー２４、コリメートレンズ２５、波長板２６、角度変換プリズム２７、立ち上げプリズム２８、非点収差レンズ３０、受光センサ３１、フィルタ３２、前光モニタ３３が直接または取り付け部材を介して基台３４に固定される。
【０１０６】
まず、構成について説明する。対物レンズ１及び対物レンズ駆動装置１１は実施の形態１または実施の形態２で説明したものあるいは実施の形態５で説明するものと同じであるので、その説明を援用する。
【０１０７】
レーザ光源２１は複数の発光源を近接して設けた光源であるいわゆる２波長半導体レーザとした。２波長半導体レーザはＤＶＤ用に用いる波長λ１（約６５０ｎｍ）のレーザ光を出射する発光源とＣＤ用に用いる波長λ２（約７８０ｎｍ）のレーザ光を出射する発光源を有する。両発光源間の距離は１１０μｍ程度である。２波長半導体レーザには１つの半導体基板に複数の波長の発光源を集積化したいわゆるモノリシック型２波長半導体レーザと、複数の異なる波長のレーザ素子を１つのパッケージ内に隣接して配置したいわゆるハイブリッド型２波長半導体レーザとがある。本実施の形態３では前者を用いた。また、レーザ光源２１は、サブマウントを介してレーザ素子をフレームに固定したいわゆるフレームレーザを用いることが、光ピックアップ装置３５を薄くするという観点から好ましい。なお、レーザ光源２１から出射される波長λ１のレーザ光も波長λ２のレーザ光もＰ偏光となるようにしてある。
【０１０８】
回折素子２２は、光学ガラス等の透明基板に、波長λ１のレーザ光を回折して０次光と±１次光に分離し波長λ２のレーザ光をそのまま透過する回折格子と波長λ１のレーザ光をそのまま透過し波長λ２のレーザ光を回折して０次光と±１次光に分離する回折格子とを形成した構成である。
【０１０９】
このような回折素子２２としては透明基板の両面に凹凸のみを形成し、使用波長と屈折率と格子深さと回折効率とを吟味し、波長λ１のレーザ光のみ回折する回折格子と波長λ２のレーザ光のみ回折する回折格子とを設ければ良い。また２つの材料で回折格子を形成し、一方の材料で異常分散現象を起こして一方の波長では２つの材料の屈折率を等しくし、他方の波長では異なるようにした回折格子を組み合わせても良い。
【０１１０】
ビームスプリッタ２３は光学ガラスや光学プラスチックで作製され、内部に傾斜面２３ａを有する。傾斜面２３ａには偏光分離膜が形成される。偏光分離膜はＰ偏光のレーザ光の大半を透過させて一部を反射させ、Ｓ偏光のレーザ光を全反射させる。
【０１１１】
ミラー２４は光学系をコンパクトにするために光路を折り曲げるためのものである。ミラー２４の表面には全反射膜が形成されている。
【０１１２】
コリメートレンズ２５はレーザ光源２１から出射されて発散光であるレーザ光を略平行光にするためのレンズである。コリメートレンズ２５は光学ガラスまたは光学プラスチックで作製される。
【０１１３】
波長板２６はＰ偏光であるレーザ光源２１から出射されたレーザ光の偏光を円偏光に変換し、光ディスク２９で反射された円偏光であるレーザ光をＳ偏光に変換する。波長板２６は波長λ１のレーザ光にも波長λ２のレーザ光にも作用するよう屈折率、厚みが設定されている。
【０１１４】
角度変換プリズム２７は、立ち上げプリズム２８に入射するレーザ光の角度を最適化して立ち上げプリズム２８の厚さを極力薄くするために、それまで光ディスク２９の面に略平行であったレーザ光に光ディスク２９に直角な方向に角度を与えるものである。
【０１１５】
立ち上げプリズム２８は対物レンズ１の真下に配置され、光ディスク２９に直角な方向にレーザ光を立ち上げるためのプリズムである。
【０１１６】
光ディスク２９はＣＤ用がＣＤ、ＣＤ−ＲＯＭ、ＣＤ−Ｒ／ＲＷ、ＤＶＤ用がＤＶＤ−ＲＯＭ、ＤＶＤ±Ｒ／ＲＷ、ＤＶＤ−ＲＡＭなどであり、ＣＤ用もＤＶＤ用も再生専用の媒体を除いて全て記録も再生も可能なものである。また、本実施の形態３ではＣＤ用とＤＶＤ用としているが、その組み合わせだけでなく、いわゆるＢＤやＨＤ  ＤＶＤ等との組み合わせでも一般性を失わない。
【０１１７】
非点収差レンズ３０は、非点収差法によるフォーカス制御を行うために光ディスク２９で反射されたレーザ光に非点収差を与えるためのレンズである。非点収差レンズ３０は光学ガラスや光学プラスチックで作製される。
【０１１８】
受光センサ３１はレーザ光源２１から出射され光ディスク２９で反射されたレーザ光を受けてトラッキング制御用信号、フォーカス制御用信号、ＲＦ信号等の電気信号に変換して出力する。
【０１１９】
フィルタ３２はビームスプリッタ２３で分離されて前光モニタ３３に入射するレーザ光の光量を適切な値の範囲にするために用いる。ビームスプリッタ２３の側面に光吸収膜を設けて、それをフィルタ３２としても良い。
【０１２０】
前光モニタ３３はレーザ光源２１から出射されビームスプリッタ２３で反射されて分離されたレーザ光を受けて、その光量を電気信号に変換して出力する。その電気信号はレーザ光源の２１が出射するレーザ光の光量制御に用いられる。
【０１２１】
基台３４は光ピックアップ装置３５の骨格をなすもので、Ｚｎ合金、Ｍｇ合金等の合金材料あるいは硬質樹脂材料等で形成される。
【０１２２】
対物レンズ１を搭載した対物レンズ駆動装置１１はヨーク５が基台３４に接着される。レーザ光源２１と、回折素子２２と、ビームスプリッタ２３と、非点収差レンズ３０を取り付けた受光センサ３１とは共通の取り付け部材に取り付けられ、その取り付け部材が基台３４に取り付けられる。ミラー２４、コリメートレンズ２５、波長板２６、角度変換プリズム２７、立ち上げプリズム２８は基台３４に取り付けられる。また、フィルタ３２、前光モニタ３３も基台３４に取り付けられる。
【０１２３】
次に光路について説明する。図１１に示すようにレーザ光源２１から出射された波長λ１、λ２のレーザ光は回折素子２２で回折されて０次光、±１次光に分離されてビームスプリッタ２３に入射する。分離されたレーザ光は受光センサ３１に入射されるとトラッキング制御用の電気信号に変換される。ビームスプリッタ２３の傾斜面２３ａの偏光分離膜で一部のレーザ光は反射されてフィルタ３２を透過して前光モニタ３３に入射して光量制御用の電気信号に変換される。大半の透過したレーザ光はミラー２４で反射されてコリメートレンズ２５に入射する。コリメートレンズ２５で発散光から略平行光に変換されて波長板２６に入射する。波長板２６に入射したレーザ光はＰ偏光の直線偏光から円偏光に変換されて、角度変換プリズム２７に入射して光路を若干変更されて立ち上げプリズム２８に入射する。立ち上げプリズム２８に入射したレーザ光は光ディスク２９に略直角な方向に向きを変えられて、対物レンズ１に入射し、対物レンズ１では略平行光から集束光に変換されて、光ディスク２９に入射する。光ディスク２９に入射したレーザ光は光ディスク２９の記録面に焦点を結ぶ。
【０１２４】
光ディスク２９の記録面で反射されたレーザ光は対物レンズ１、立ち上げプリズム２８、角度変換プリズム２７、波長板２６、コリメートレンズ２５を通り、ミラー２４で反射されてビームスプリッタ２３に入射する。対物レンズ１では発散光から略平行光に変換される。波長板２６で円偏光から往きの直線偏光とは垂直な直線偏光、すなわちＳ偏光に変換される。コリメートレンズ２５では略平行光から集束光に変換される。ビームスプリッタ２３に入射したレーザ光は偏光分離膜で全反射されて非点収差レンズ３０に入射する。非点収差レンズ３０で非点収差を与えられたレーザ光は受光センサ３１に入射し、フォーカス制御用の電気信号に変換される。また、受光センサ３１に入射した少なくとも一部のレーザ光の光量がＲＦ信号用の電気信号に変換される。
【０１２５】
受光センサ３１で生成されたフォーカス制御用信号、トラッキング制御用信号は光ディスク装置本体に送られる。そして対物レンズ駆動装置１１のＦＰＣ４ｃに駆動電流が送られ、ＦＰＣ４ｃから弾性部材３を介して第１フォーカスコイル６ａまたは１３ａ、第２フォーカスコイル６ｂまたは１３ｂ、トラッキングコイル７に駆動電流が流れて電磁力が発生する。こうして対物レンズ１は光ディスク２９に対してフォーカス方向、トラッキング方向に移動する。
【０１２６】
以上のように本実施の形態３の光ピックアップ装置３５は、対物レンズ１と搭載した対物レンズ駆動装置１１の厚さが薄い上に、対物レンズ１の光ディスク２９に対する傾き制御が行えるために、ＣＤ、ＤＶＤのすべての記録再生に対応できる。そのため本実施の形態３の光ピックアップ装置３５は薄型で、ＣＤ、ＤＶＤのすべての記録再生に対応できる。
【０１２７】
（実施の形態４）
本実施の形態４について図面を参照しながら説明する。図１３（ａ）は本実施の形態４の光ピックアップモジュールの構成の上面図、図１３（ｂ）は下面図である。図１４は本実施の形態４の光ディスク装置の構成図である。本実施の形態４は実施の形態１または実施の形態２で説明した対物レンズ駆動装置または実施の形態５で説明する対物レンズ駆動装置を備えた光ディスク装置である。
【０１２８】
図１３において、光ディスクを回転駆動する回転駆動部及び光ピックアップ装置３５を回転駆動部に対して近づけたり離したりする移動部を備える光ディスク装置５０の駆動機構を光ピックアップモジュール４０という。ベース４１は光ピックアップモジュール４０の骨組みを成すもので、光ピックアップモジュール４０はベース４１に直接的、間接的に各構成部品が配置されて構成される。
【０１２９】
回転駆動部は光ディスクを載置するターンテーブル４２ａを有するスピンドルモータ４２を備えている。スピンドルモータ４２はベース４１に固定される。スピンドルモータ４２は光ディスクを回転させる回転駆動力を生成する。
【０１３０】
移動部はフィードモータ４３、スクリューシャフト４４、ガイドシャフト４５、４６を備えている。フィードモータ４３はベース４１に固定される。フィードモータ４３は光ピックアップ装置３５が光ディスクの内周と外周の間を移動するために必要な回転駆動力を生成する。フィードモータ４３としてステッピングモータ、ＤＣモータなどが使用される。スクリューシャフト４４はらせん状に溝が掘られており、直接または数段のギアを介してフィードモータ４３に接続される。本実施の形態４ではギアを介してフィードモータ４３と接続される。ガイドシャフト４５、４６はそれぞれ両端で支持部材を介してベース４１に固定される。ガイドシャフト４５、４６は光ピックアップ装置３５を移動自在に支持する。光ピックアップ装置３５はスクリューシャフト４４の溝と噛み合うガイド歯を有するラック４７を備える。ラック４７がスクリューシャフト４４に伝達されたフィードモータ４３の回転駆動力を直線駆動力に変換するために光ピックアップ装置３５は光ディスクの内周と外周の間を移動することができる。
【０１３１】
なお、回転駆動部は光ディスクを所定の回転数で回転させることができる構成であれば、本実施の形態４で説明した構成に限るものではない。また移動部は光ピックアップ装置３５を光ディスクの内周と外周の間の所定の位置に移動させることができる構成であれば、本実施の形態４で説明した構成に限るものではない。
【０１３２】
光ピックアップ装置３５は図１２の構成にカバーを取り付けたものであり、実施の形態１または実施の形態２で説明した対物レンズ１を備えた対物レンズ駆動装置１１または実施の形態５で説明する対物レンズ駆動装置を備えている。そのため光ピックアップ装置３５は薄型で、ＣＤ、ＤＶＤのすべての記録再生に対応できる。光ピックアップ装置３５は光ディスクに対し情報の記録または再生の少なくとも一方を行い、そのためにレーザ光を光ディスクに向けて出射する。光ピックアップ装置３５から出射されるレーザ光が光ディスクに対し直角に入射するように、支持部材を構成する調整機構でガイドシャフト４５、４６の傾きを調整する。
【０１３３】
ＦＰＣ４８は光ピックアップ装置３５と光ディスク装置５０の本体とを電気的に接続する。ＦＰＣ４８は光ディスク装置５０の本体側から光ピックアップ装置３５に対し、電力を供給し、電気信号を送るための導電線であるとともに、光ピックアップ装置３５から光ディスク装置５０の本体側へ電気信号を送るための導電線でもある。
【０１３４】
カバー４９は開口を有し、光ピックアップ装置３５の対物レンズ１を含む対物レンズ駆動装置１１の少なくとも一部、スピンドルモータ４２のターンテーブル４２ａを露出させる。さらに本実施の形態４の場合、フィードモータ４３、ガイドシャフト４６の部分も露出させて、カバー４９の厚さの分だけ光ピックアップモジュール４０の厚さが薄くなるようにしている。
【０１３５】
図１４において、筐体５１は上部筐体５１ａと下部筐体５１ｂを組み合わせてネジなどを用いて互いに固定して構成されている。トレイ５２は筐体５１に出没自在に設けられている。トレイ５２は光ピックアップモジュール４０を下面側から配置する。トレイ５２は開口を有し、対物レンズ１を含む対物レンズ駆動装置１１の少なくとも一部、スピンドルモータ４２のターンテーブル４２ａ、カバー４９の少なくとも一部を露出させる。ベゼル５３はトレイ５２の前端面に設けられて、トレイ５２が筐体５１内に収納された時にトレイ５２の出没口を塞ぐように構成されている。ベゼル５３にはイジェクトスイッチ５４が設けられ、イジェクトスイッチ５４を押すことで、筐体５１とトレイ５２との係合が解除され、トレイ５２は筐体５１に対し出没が可能な状態となる。レール５５はそれぞれトレイ５２の両側部及び筐体５１の双方に摺動自在に取り付けられる。筐体５１内部やトレイ５２内部には図示していない回路基板があり、信号処理系のＩＣや電源回路などが搭載されている。外部コネクタ５６はコンピュータ等の電子機器に設けられた電源／信号ラインと接続される。そして、外部コネクタ５６を介して光ディスク装置５０内に電力を供給したり、あるいは外部からの電気信号を光ディスク装置５０内に導いたり、あるいは光ディスク装置５０で生成された電気信号を電子機器などに送出する。
【０１３６】
以上のように本実施の形態４の光ディスク装置５０は、搭載する光ピックアップ装置３５が備える対物レンズ駆動装置１１が薄型で、対物レンズ１の光ディスクに対する傾き制御が行えるために、ＣＤ、ＤＶＤのすべての記録再生に対応できる。そのため本実施の形態４の光ディスク装置５０は薄型で、ＣＤ、ＤＶＤのすべての記録再生に対応できる。
【０１３７】
（実施の形態５）
本実施の形態５について図面を参照しながら説明する。図１６は本実施の形態５の対物レンズ駆動装置の上面図である。本実施の形態５の対物レンズ駆動装置７１は実施の形態１の対物レンズ駆動装置１１と構成は同じであり、その説明を援用する。すなわち、対物レンズ１は対物レンズ６１に、レンズホルダ２はレンズホルダ６２に、固定部材４は固定部材６４に、ヨーク５はヨーク６５に、トラッキングコイル７はトラッキングコイル６７に、磁石８は磁石６８に、ダンピングゲル１２はダンピングゲル６９に、それぞれ置き換えられる。本実施の形態５のフォーカスコイル６６は実施の形態１のフォーカスコイル６の形態でも実施の形態２のフォーカスコイル１３の形態でも構わない。本実施の形態５において、弾性部材６３の配置、形状は、実施の形態１の弾性部材３の配置、形状と異なる。以下、本実施の形態５の弾性部材６３の配置、形状について説明する。
【０１３８】
図１７は本実施の形態５の弾性部材の配置図である。図１７は図１６の弾性部材６３のみをそのまま抜き出したものである。紙面右側がレンズホルダ６２側、紙面左側が固定部材６４側、すなわち装置本体側である。弾性部材６３はレンズホルダ６２の両端に２列２段で配置された例を示すが、それに限るものではない。３列以上の２段としても良いし、対物レンズ駆動装置７１の厚さの制約がなければ、３列以上３段以上としても良い。また、３列以上１段としても良い。また、本実施の形態５において上段の弾性部材６３と下段の弾性部材６３とは同じ形状としたが、それに限るものではなく、それぞれ最適形状として良い。また、実施の形態１と同様に上段と下段の弾性部材６３の間隙は０．６ｍｍ、弾性部材６３の厚さは０．０５ｍｍ、幅は中央部分が０．０９ｍｍ、レンズホルダ６２側と固定部材６４側が０．０７ｍｍとした。また、弾性部材６３は、鉄合金、銅合金（例えば銅−ベリリウム合金）等の弾性のある導電材料で形成される。
【０１３９】
レンズホルダ６２側の根元から出た外側の弾性部材６３はレンズホルダ６２の中心と固定部材６４の中心を結ぶ線にほぼ平行な方向で屈折点６３ａに至る。弾性部材６３は屈折点６３ａでやや内側に向くように向きを変えて屈折点６３ｃに至る。弾性部材６３は屈折点６３ｃでさらに内側に向きを変えて屈折点６３ｅに至る。弾性部材６３は最後に屈折点６３ｅでレンズホルダ６２の中心と固定部材６４の中心を結ぶ線にほぼ平行な方向に向きを変えて固定部材６４側の根元に至る。屈折点６３ａはレンズホルダ６２に近い位置にある。屈折点６３ｃは固定部材６４に近い位置にある。外側の弾性部材６３は屈折点６３ａと屈折点６３ｃとの間が最も長い。弾性部材６３は屈折点６３ｃで外側に分岐部６３ｇを分岐する。分岐部６３ｇは、外側の弾性部材６３の弾性特性を整え、固定部材６４には至らない。
【０１４０】
一方、レンズホルダ６２側の根元から出た内側の弾性部材６３はレンズホルダ６２の中心と固定部材６４の中心を結ぶ線にほぼ平行な方向で屈折点６３ｂに至る。弾性部材６３は屈折点６３ｂでやや内側に向くように向きを変えて屈折点６３ｄに至る。弾性部材６３は屈折点６３ｄでさらに内側に向きを変えて屈折点６３ｆに至る。弾性部材６３は最後に屈折点６３ｆでレンズホルダ６２の中心と固定部材６４の中心を結ぶ線にほぼ平行な方向に向きを変えて固定部材６４側の根元に至る。屈折点６３ｂはレンズホルダ６２に近い位置にある。屈折点６３ｄは固定部材６４に近い位置にある。内側の弾性部材６３は屈折点６３ｂと屈折点６３ｄとの間が最も長い。弾性部材６３は屈折点６３ｄで内側に分岐部６３ｈを分岐する。分岐部６３ｈは、内側の弾性部材６３の弾性特性を整え、固定部材６４には至らない。
【０１４１】
レンズホルダ６２側の根元から屈折点６３ａに至る外側の弾性部材６３と同じ側のレンズホルダ６２側の根元から屈折点６３ｂに至る内側の弾性部材６３はほぼ平行である。また、屈折点６３ａから屈折点６３ｃに至る外側の弾性部材６３と屈折点６３ｂから屈折点６３ｄに至る内側の弾性部材６３もほぼ平行である。また、屈折点６３ｃから屈折点６３ｅに至る外側の弾性部材６３と屈折点６３ｄから屈折点６３ｆに至る内側の弾性部材６３もほぼ平行である。さらに、屈折点６３ｅから固定部材６４側の根元に至る外側の弾性部材６３と屈折点６３ｆから固定部材６４側の根元に至る内側の弾性部材６３もほぼ平行である。
【０１４２】
これは、後述するように固定部材６４側の同じ側の外側の弾性部材６３と内側の弾性部材６３との間隔をレンズホルダ６２側の間隔よりも狭めており、この形状を実施の形態１で説明したパンチプレスで打ち抜いて作製するためである。すなわち、固定部材６４側の狭い間隔のままで長い距離をパンチプレスで打ち抜くのは困難であるため、長い距離をレンズホルダ６２側の広い方の間隔で打ち抜くことで、狭い間隔を打ち抜く距離を短くした。
【０１４３】
本実施の形態５において、レンズホルダ６２側の両側の外側の弾性部材６３の間隔Ａを約１１．３ｍｍ、内側の弾性部材６３の間隔Ｂを約１０．５ｍｍとした。また、固定部材６４側の両側の外側の弾性部材６３の間隔Ｃを約９．３ｍｍ、内側の弾性部材６３の間隔Ｄを約８．６ｍｍと、レンズホルダ６２側よりも狭くした。レンズホルダ６２側はレンズホルダ６２に対物レンズ６１、フォーカスコイル６６、トラッキングコイル６７を搭載するためにそれほど狭くすることはできない。しかし、固定部材６４側は、そのような制約条件が存在しないために、レンズホルダ６２側よりも狭くすることができる。したがって、その分、対物レンズ駆動装置７１を小型、軽量にすることができる。
【０１４４】
また、レンズホルダ６２側の外側の弾性部材６３と内側の弾性部材６３との間隔Ｅを約０．４０ｍｍ、固定部材６４側の外側の弾性部材６３と内側の弾性部材６３との間隔Ｆを約０．３２ｍｍとした。間隔Ｆは間隔Ｅよりも狭い。図１８は本実施の形態５の弾性部材のバネ定数を示す図である。図１８はレンズホルダ６２側の間隔Ｅを０．４ｍｍ一定にして、固定部材６４側である装置本体側の間隔Ｆを振った場合のフォーカス方向とトラッキング方向のバネ定数を示したシミュレーション結果である。フォーカス方向のバネ定数は間隔Ｆによらずほぼ一定の値である。しかし、トラッキング方向のバネ定数は間隔Ｆが０．４ｍｍよりも小さい０．３０〜０．３５ｍｍで小さく、０．３２ｍｍ付近で最小となる傾向を示す。この間隔Ｆが０．３０〜０．３５ｍｍの領域でフォーカス方向のバネ定数とトラッキング方向のバネ定数とは同程度の値となる。バネ定数がフォーカス方向とトラッキング方向とでほぼ等しいとフォーカス方向とトラッキング方向の弾性特性のバランスを取りやすくなり、扱いやすい。
【０１４５】
このトラッキング方向においてバネ定数が最小となるのは、間隔Ｃと間隔Ａまたは間隔Ｄと間隔Ｂの比が間隔Ｆと間隔Ｅの比とほぼ等しい場合である。本実施の形態５において、間隔Ｃと間隔Ａの比は９．３／１１．３＝約０．８、間隔Ｄと間隔Ｂの比は８．６／１０．５＝約０．８、間隔Ｆと間隔Ｅの比は０．３２／０．４０＝０．８である。さらに、図示はしないが、間隔Ｃ、間隔Ｄを間隔Ａ、間隔Ｂの約１．２５倍とすると、トラッキング方向のバネ定数が最小となる間隔Ｆは約０．５ｍｍである。
【０１４６】
また、途中に複数の屈折点６３ａ〜６３ｆがあるために、レンズホルダ６２側及び固定部材６４側の根元から出た外側及び内側の弾性部材６３をレンズホルダ６２の中心と固定部材６４の中心を結ぶ線にほぼ平行な方向に引き出すことができる。そのため弾性特性が安定する。
【０１４７】
外側の弾性部材６３の弾性特性を整える分岐部６３ｇは外側の弾性部材６３から外側に分岐している。内側の弾性部材６３の弾性特性を整える分岐部６３ｈは内側の弾性部材６３から内側に分岐している。そのため、固定部材６４側における外側の弾性部材６３と内側の弾性部材６３との間隔を狭いままにすることができる。
【０１４８】
以上のように、本実施の形態５の対物レンズ駆動装置７１は、レンズホルダ６２の両端に弾性部材６３を幅方向には複数列に厚さ方向には２段で配置するので、弾性部材６３が合計８本以上となる。そのため、フォーカスコイル６６及びトラッキングコイル６７に電流を流すのに十分な弾性部材６３を確保することができ、対物レンズ６１の光ディスクに対する傾き制御が行える。しかも、弾性部材６３が厚さ方向には２段で配置されるので、薄型化ができる。それに加えて、トラッキング方向のバネ定数を小さくしてフォーカス方向のバネ定数とほぼ同じにすることができるため、トラッキング方向とフォーカス方向の弾性特性のバランスを取ることができる。
【産業上の利用可能性】
【０１４９】
以上のように本発明の対物レンズ駆動装置、対物レンズ駆動装置の製造方法により製造された対物レンズ駆動装置、光ピックアップ装置及び光ディスク装置は対物レンズの光ディスクに対する傾き制御を行え、かつ、薄型であり、特に薄型のノートブック型パーソナルコンピュータ等の電子機器に好んで搭載される。
【図面の簡単な説明】
【０１５０】
【図１】本実施の形態１の対物レンズ駆動装置の構成図
【図２】本実施の形態１のレンズホルダの構成図
【図３】（ａ）本実施の形態１の弾性部材を含む枠体の平面図、（ｂ）Ａ部拡大模式図
【図４】本実施の形態１の固定部材の構成図
【図５】（ａ）本実施の形態１の磁石を配置したヨークの構成図、（ｂ）他の例の構成図
【図６】（ａ）本実施の形態１のフォーカスコイル、トラッキングコイルと弾性部材との接続を示す固定部材と反対側から見た図、（ｂ）固定部材側から見た図
【図７】本実施の形態１の固定部材側における弾性部材と導電線の接続を示す図
【図８】（ａ）本実施の形態１の対物レンズ駆動装置の製造方法を示す平板の図、（ｂ）枠体の完成の図、（ｃ）レンズホルダと固定部材の成型の完成の図、（ｄ）フォーカスコイルとトラッキングコイルの取り付けの完成の図、（ｅ）対物レンズの取り付けの完成の図、（ｆ）弾性部材の切断の完成の図、（ｇ）磁石を配置したヨークの取り付けの完成の図、（ｈ）ＦＰＣの取り付けとダンピングゲルの注入をして対物レンズ駆動装置の完成の図
【図９】本実施の形態２の第１フォーカスコイルと第２フォーカスコイルの巻線方向を示す図
【図１０】（ａ）本実施の形態２のフォーカスコイル、トラッキングコイルと弾性部材との接続を示す固定部材と反対側から見た図、（ｂ）固定部材側から見た図
【図１１】本実施の形態３の光ピックアップ装置の光学系の構成図
【図１２】本実施の形態３の光ピックアップ装置の上面からの構成図
【図１３】（ａ）本実施の形態４の光ピックアップモジュールの構成の上面図、（ｂ）下面図
【図１４】本実施の形態４の光ディスク装置の構成図
【図１５】ＣＤとＤＶＤに対し記録再生ができる従来の光ピックアップ装置の対物レンズ駆動装置を示す図
【図１６】本実施の形態５の対物レンズ駆動装置の上面図
【図１７】本実施の形態５の弾性部材の配置図
【図１８】本実施の形態５の弾性部材のバネ定数を示す図
【符号の説明】
【０１５１】
１    対物レンズ
２    レンズホルダ
２ａ    第１貫通孔
２ｂ    第２貫通孔
２ｃ    切り欠き部
２ｄ    突出部
３、３ａ、３ｂ    弾性部材
３ｃ、３ｄ    分岐箇所
３ｅ    屈曲部
３ｆ    第１弾性部材
３ｇ    第２弾性部材
３ｈ    第３弾性部材
３ｉ    第４弾性部材
４    固定部材
４ａ    保持部
４ｂ    切り欠き部
４ｃ    ＦＰＣ
５    ヨーク
５ａ    平坦部
５ｂ    腕部
５ｃ    第１立設ヨーク部
５ｄ    第２立設ヨーク部
５ｅ、５ｆ    側立設部
５ｇ、５ｈ    立設部
６    フォーカスコイル
６ａ    第１フォーカスコイル
６ｂ    第２フォーカスコイル
６ｃ、６ｄ    リード線
７    トラッキングコイル
７ａ    リード線
８    磁石
９    平板
１０    枠体
１０ａ    枠
１０ｂ、１０ｄ    第１枠体
１０ｃ、１０ｅ    第２枠体
１０ｆ    第３枠体
１０ｇ    第４枠体
１１    対物レンズ駆動装置
１２    ダンピングゲル
１３    フォーカスコイル
１３ａ    第１フォーカスコイル
１３ｂ    第２フォーカスコイル
１３ｃ、１３ｄ    リード線
２１    レーザ光源
２２    回折素子
２３    ビームスプリッタ
２３ａ    傾斜面
２４    ミラー
２５    コリメートレンズ
２６    波長板
２７    角度変換プリズム
２８    立ち上げプリズム
２９    光ディスク
３０    非点収差レンズ
３１    受光センサ
３２    フィルタ
３３    前光モニタ
３４    基台
３５    光ピックアップ装置
４０    光ピックアップモジュール
４１    ベース
４２    スピンドルモータ
４２ａ    ターンテーブル
４３    フィードモータ
４４    スクリューシャフト
４５、４６    ガイドシャフト
４７    ラック
４８    ＦＰＣ
４９    カバー
５０    光ディスク装置
５１    筐体
５１ａ    上部筐体
５１ｂ    下部筐体
５２    トレイ
５３    ベゼル
５４    イジェクトスイッチ
５５    レール
５６    外部コネクタ
６１    対物レンズ
６２    レンズホルダ
６３    弾性部材
６３ａ、６３ｂ、６３ｃ、６３ｄ、６３ｅ、６３ｆ    屈折点
６３ｇ、６３ｈ    分岐部
６４    固定部材
６５    ヨーク
６６    フォーカスコイル
６７    トラッキングコイル
６８    磁石
６９    ダンピングゲル
７１    対物レンズ駆動装置
【図１】
2007226933.tif 000003
【図２】
2007226933.tif 000004
【図３】
2007226933.tif 000005
【図４】
2007226933.tif 000006
【図５】
2007226933.tif 000007
【図６】
2007226933.tif 000008
【図７】
2007226933.tif 000009
【図８】
2007226933.tif 000010
【図９】
2007226933.tif 000011
【図１０】
2007226933.tif 000012
【図１１】
2007226933.tif 000013
【図１２】
2007226933.tif 000014
【図１３】
2007226933.tif 000015
【図１４】
2007226933.tif 000016
【図１５】
2007226933.tif 000017
【図１６】
2007226933.tif 000018
【図１７】
2007226933.tif 000019
【図１８】
2007226933.tif 000020